(57)【要約】【課題】連続したフィルムを手摺に貼付することのできる軽量なフィルム貼付装置を提供する。【解決手段】フィルム貼付装置は、乗客を案内する欄干に沿って案内される台座上に貼付ユニットを備え、手摺上に連続した粘着シートを貼付するためのフィルム貼付装置であって、上記貼付ユニットは、先端で上記手摺上に貼付された粘着シートをフィルム貼付装置自身の移動に応じて上記手摺上に連続的に供給する粘着シート供給装置と、上記粘着シート供給装置から供給された粘着シートを上記手摺の表面に沿って案内して貼付ける案内貼付装置と、を備える。【選択図】図１
2005060004.tif 000002
【特許請求の範囲】
【請求項１】
手摺を持つ欄干に沿って案内される台座上に貼付ユニットを備え、上記手摺上に連続した粘着シートを上記貼付ユニットから供給して貼付するためのフィルム貼付装置であって、
上記貼付ユニットは、
先端で上記手摺上に貼付された粘着シートをフィルム貼付装置自身の上記手摺に沿った移動に応じて上記手摺上に連続的に供給する粘着シート供給装置と、
上記粘着シート供給装置から供給された粘着シートを上記手摺の表面に沿って案内して貼付ける案内貼付装置と、
を備えたことを特徴とするフィルム貼付装置。
【請求項２】
上記案内貼付装置は、
上記手摺上に供給された粘着シートにフィルム貼付装置自身の移動方向の後方に向かって次第に方向が変化する押圧力を加える複数のヘラを備え、
上記粘着シートを上記手摺の表面に沿って曲げて密着させることを特徴とする請求項１に記載のフィルム貼付装置。
【請求項３】
上記欄干に沿って上記貼付ユニットを案内軌条式に支持し、上記台座に回転支持された案内車輪を備えたことを特徴とする請求項１または２に記載のフィルム貼付装置。
【発明の詳細な説明】
【技術分野】
【０００１】
この発明は、広告、案内情報等を印刷した連続したフィルムをエスカレータ、動く歩道等の手摺に貼付するフィルム貼付装置に関する。
【背景技術】
【０００２】
従来のフィルム貼付装置は、その装置を欄干の側面の滑らかな表面に真空の作用で取り付ける吸着盤からなる取付け手段と、フィルムの第１のロールを取り付ける第１のスピンドル手段と、圧力をフィルムに加えてフィルムが手摺に付着するようにするローラから成る加圧手段と、使用にあたり剥離シートを巻き取る第２のロールが取り付けられる第２のスピンドル手段と、第１のスピンドル手段と第２のスピンドル手段との間に設けられた駆動手段とを有している。
【０００３】
第１のスピンドル手段のロールからフィルムを巻き出すと、第１のスピンドル手段は第２のスピンドル手段を駆動し、それにより第２のスピンドル手段は、第１のロールから出ているフィルムから分離された剥離シートを巻き取るようになっている（例えば、特許文献１参照。）。
【０００４】
【特許文献１】特表２００１−５３７２００号公報
【発明の開示】
【発明が解決しようとする課題】
【０００５】
しかしながら、従来のフィルム貼付装置は、フィルムの一端を手摺に固定し、手摺の移動に基づいてフィルムを引き出し貼付するので、フィルム貼付装置を停止するための吸盤などからなる取り付け手段、手摺と連動してシート裏紙を巻き取るための力を伝達する駆動手段およびシート裏紙を巻き取る第２のスピンドル手段を一体にして組みたてているので、装置重量が大きくなってしまい、装置を取り扱うことは不便であった。
【０００６】
この発明の目的は、連続したフィルムを手摺に貼付することのできる軽量なフィルム貼付装置を提供することである。
【課題を解決するための手段】
【０００７】
この発明に係わるフィルム貼付装置は、手摺を持つ欄干に沿って案内される台座上に貼付ユニットを備え、上記手摺上に連続した粘着シートを上記貼付ユニットから供給して貼付するためのフィルム貼付装置であって、上記貼付ユニットは、先端で上記手摺上に貼付された粘着シートをフィルム貼付装置自身の上記手摺に沿った移動に応じて上記手摺上に連続的に供給する粘着シート供給装置と、上記粘着シート供給装置から供給された粘着シートを上記手摺の表面に沿って案内して貼付ける案内貼付装置と、を備えた。
【発明の効果】
【０００８】
この発明に係わるフィルム貼付装置の効果は、手摺を持つ欄干に沿って案内される台座上に貼付ユニットを備え、上記手摺上に連続した粘着シートを上記貼付ユニットから供給して貼付するためのフィルム貼付装置であって、上記貼付ユニットは、先端で上記手摺上に貼付された粘着シートをフィルム貼付装置自身の上記手摺に沿った移動に応じて上記手摺上に連続的に供給する粘着シート供給装置と、上記粘着シート供給装置から供給された粘着シートを上記手摺の表面に沿って案内して貼付ける案内貼付装置と、を備えるので、フィルムロールを支持できるフィルム支持軸、ヘラ押圧部材など簡単な構造部材で構成されていて、軽量な装置を提供できる。
【発明を実施するための最良の形態】
【０００９】
実施の形態１．
図１は、この発明の実施の形態１に係わるフィルム貼付装置の概略正面図である。図２は、図１のＡ−Ａ断面での概略断面図である。図３は、図１のヘラ押圧部材の平面図（ａ）、正面図（ｂ）、側面図（ｃ）である。
フィルム貼付装置１００には、エスカレータの欄干１に搭載できる台座２上に貼付ユニット３が設けられている。
台座２は、ベース４と、ベース４に対して垂直にベース４のフィルム貼付装置の移動方向に対して直角方向の一方の端面から縦立したフレーム５と、欄干１の欄干パネル６の片側に配置されるようにベース４に固定された２本の保持アーム７と、それらの先端に付けられ、欄干パネル６の側面に対してベース４を案内軌条式に支持する第１の案内車輪８とを備えている。案内軌条式に支持するとは、軌条としての欄干パネル６の側面に対して垂直に接する案内車輪８でフィルム貼付装置１００の移動方向に対して直角方向のベース４の位置を案内しながら、欄干パネル６に沿って移動可能に支持することである。またフレーム５は、ベース部５ａと、貼付ユニット３を支持する立ち上がり部５ｂとを有している。さらに、図２に示すように、台座２は、欄干パネル６の手摺９を支持する上端部６ａの案内車輪８と反対側の面を走行し、フレーム５のベース部５ａから連なるローラ支持部材１０の先端に支持され、ベース４を案内軌条式に支持できる第２の案内車輪１１を備えている。第２の案内車輪１１は、手摺９の下側にもぐり込むように配設されているので、フレーム５より幅方向に飛び出ていない。
台座２上に設けられた貼付ユニット３は、これら第１の案内車輪８と第２の案内車輪１１とにより欄干パネル６に沿って手動により移動することができる。
【００１０】
貼付ユニット３は、先端で手摺９上に貼付された粘着シート１２をフィルム貼付装置１００の手動による移動にともない手摺９上に連続的に供給できる粘着シート供給装置１３と、粘着シート供給装置１３から供給された粘着シート１２を手摺９の表面に沿って案内して貼付ける案内貼付装置１４とを備えている。
【００１１】
粘着シート供給装置１３は、フレーム５に回転自在に支持され、手摺９に供給するフィルムロール１５を回転可能に支持するフィルム支持軸１６と、フィルム支持軸１６の回転速度を引き出される粘着シート１２の速度に追随するようにフィルム支持軸１６の回転に制動を加えるテンションギアー１７とを備えている。
フィルム支持軸１６は、フィルムロール１５をフィルム支持軸１６に固定し、フィルム支持軸１６に設けられた雌ねじ部１６ａに螺合するナット１８を備えている。
テンションギアー１７は、フレーム５に固定された図示しない軸と、その軸に回転自在に支持された図示しない円盤と、その円盤の側面をフレーム５に押し付け、その円盤の回転に制動を加える図示しないばねと、そのばねの一端を上述の軸に固定する図示しないナットとを有する。
【００１２】
案内貼付装置１４は、粘着シート供給装置１３から供給された粘着シート１２を手摺９上に引き込むゴムローラ１９ａと、手摺９上に供給された粘着シート１２にフィルム貼付装置１００の移動方向（図１に矢印Ｍとして示す。）に見て後方に向かって（矢印Ｍの反対方向）次第に方向が変化する押圧力を加える６個のヘラ押圧部材２０ａ〜２０ｆとを備えている。図１ではフィルム貼付装置１００を正面から示しているので、ヘラ押圧部材２０ｄ〜２０ｆは他のヘラ押圧部材２０ａ〜２０ｃにより遮られて見えない。
ゴムローラ１９ａは、軸にゴムライニングされ、ベース４に対して水平にフレーム５で回転自在に軸支されている。また、ヘラ押圧部材２０ａ〜２０ｆのフィルム添付装置１００の移動方向に向かって後方に治具固定用ローラ１９ｂが設けられている。
ヘラ押圧部材２０ａ〜２０ｆは、ゴムローラ１９ａに対してフィルム貼付装置１００の移動方向（矢印Ｍ）の後方に配置されている。ヘラ押圧部材２０ａ〜２０ｆは、押圧部材取付板２１に取付けられている。押圧部材取付板２１は、フレーム５に支持された回転軸２２に回転自在に支持された一端と、フレーム５に一端を支持されたばね２３で支持された他端を有している。押圧部材取付板２１は、フィルム貼付装置１００の移動方向（矢印Ｍ）の後方に向かって次第に手摺９に近づくような力が加わっている。
【００１３】
図３を参照してヘラ押圧部材２０ａ〜２０ｆについて説明する。ヘラ押圧部材２０ａ〜２０ｆは、３個Ｒずつフィルム貼付装置１００の移動方向（矢印Ｍ）に向いて２列に配列されている。
ヘラ押圧部材２０ａ〜２０ｆは、それぞれヘラ２４ａ〜２４ｆと、ヘラ２４ａ〜２４ｆを支持するヘラ支持部材２５ａ〜２５ｆとを備えている。ヘラ２４ａ〜２４ｆは、直方体であり、その一辺が手摺９にそれぞれ対向するように支持されている。これらの辺を介して、粘着シート１２に押圧力が印加されるので、以下これらの辺を押圧辺２６ａ〜２６ｆと称して説明する。
次に、これら押圧辺２６ａ〜２６ｆは、以下のように手摺９に対して配置されている。まず、フィルム貼付装置１００の移動方向（矢印Ｍ）に対して後方に配置された押圧辺２６ａ〜２６ｆほど、手摺９の幅方向の外側に配置され、手摺９の平坦部に対して手摺９を包み込むように傾き、フィルム貼付装置１００の移動方向（矢印Ｍ）に対して傾きが小さくなるように配置されている。
押圧力の方向は、押圧辺２６ａ〜２６ｆに対して直角に働いている。粘着シート１２に幅方向の張力を与えつつ貼付するためには、僅かにフィルム貼付装置１００の移動方向（矢印Ｍ）に対して傾けると良い結果が得られる。
【００１４】
フィルム貼付装置１００の移動方向（矢印Ｍ）に対して、貼付ユニット３の先端部に台座２と手摺９の幅方向を調整する調整ローラ２７が回転自在に固定されている。
【００１５】
図４に示すようにシート裏紙支持部材２８は、手摺９の左右両側面を掴む一対の挟持部材２９と、挟持部材２９を橋絡するテンションゴム３０と、左右の挟持部材２９の端部に長手方向の端部が接続された弾性支持部材３１と、弾性支持部材３１の他端に固定され、シート裏紙３２の引き出された端部を幅広く掴む掴持部材３３とを備えている。
【００１６】
貼付する手摺９は、ハイパロンゴム（登録商標）等からなり、例えば、高さ３０ｍｍ、幅８０ｍｍの鞍状の断面形状で、長さは一周で３０ｍの無端ベルトである。一方、フィルム３４は、シンセディックポリマーフィルムの片側に印刷して表示体を設け、その印刷面に粘接着剤を塗布した粘着シート１２と、その上をラミネートしたシリコーン離型剤を塗布されたシート裏紙３２とからなり、フィルムロール１５は、フィルム３４を幅１３０ｍｍで外径８０ｍｍの紙管に所望の長さ、通常は手摺９一周分である３０ｍを巻回したものである。
【００１７】
このような構成のフィルム貼付装置の操作について説明する。
フィルム貼付装置１００のばね２３を緩めて、押圧部材取付板２１を回転軸２２中心として回動して他端を上方に引き上げておく。このように準備したフィルム貼付装置１００を、手摺９上に載せる。
次に、フィルムロール１５をフィルム支持軸１６に挿入後、ナット１８を締め付けて固定する。シート裏紙支持部材２８をフィルム貼付装置１００の移動方向に向かって後方に位置する手摺９に固定する。貼付ユニット３のフィルム３４をシート裏紙３２と粘着シート１２とに分離する。シート裏紙３２をシート裏紙支持部材２８の掴持部材３３まで引っ張り出して先端部を掴持部材３３で挟持する。
一方、粘着シート１２は、ゴムローラ１９ａと手摺９の間を通過させ、フィルム貼付装置１００の移動方向（矢印Ｍ）の後方にさらに引き出し、手摺９に平たく貼り付ける。
この状態から、ばね２３を締め付けて押圧部材取付板２１を押し下げて、ヘラ２４ａ〜２４ｆを粘着シート１２に接触させる。
次に、フィルム貼付装置１００を移動方向（矢印Ｍ）に移動すると、粘着シート１２はフィルムロール１５から供給され、ヘラ２４ａ〜２４ｆによって手摺９に貼付されていく。シート裏紙３２はシート裏紙支持部材２８により挟持されている。
【００１８】
ここで案内貼付装置１４の動作を説明する。尚、手摺９の断面は緩やかに幅方向に傾いた緩慢傾斜部と、約４５度に外側に傾いた肩部と、ほぼ直立した壁部と、さらに内側に傾いた首部がなめらかな曲線で結ばれた周囲を有している。
【００１９】
新規なフィルムロール１５からゴムローラ１９ａと手摺９の間を通過した粘着シート１２は、手摺９の緩慢傾斜部に平らな状態で貼付される。さらにフィルム貼付装置１００が進むと、粘着シート１２は、ヘラ２４ａ、２４ｄと手摺９の緩慢傾斜部との間に挟まれ押圧されて、その部分の手摺９に貼付される。
さらにフィルム貼付装置１００が進むと、粘着シート１２は、ヘラ２４ｂ、２４ｅと手摺９の肩部との間に挟まれ、手摺９に貼付される。同時に、その貼付された粘着シート１２の幅方向の外側の部分は、幅方向の先端が下側に垂れるように曲げられる。
さらにフィルム貼付装置１００が進むと、粘着シート１２は、ヘラ２４ｃ、２４ｆと手摺９の壁部との間に曲がりながら挟まれ、手摺９の壁部に貼付される。貼付した部分が重なるまで貼付し、その後、端部に隙間がないように切り取って、その端部を接着力の大きな粘着テープで覆っておく。
一方、手摺９に端部が固定されて引き出されたシート裏紙３２はシート裏紙支持部材２８の掴持部材３３から一端を外し、フィルムロール１５の近くで切断して、シート裏紙をまとめて処理する。
【００２０】
このようなフィルム貼付装置は、フィルム支持軸、ヘラ押圧部材など簡単な構造部材から構成されているので、軽量な装置を得られる。軽量な装置であるので、取り扱いが容易になる。
【００２１】
さらに、一旦粘着シートの長さ方向の先端部を手摺に貼付すれば、その後はフィルム貼付装置自身を移動させれば粘着シート及びシート裏紙が引き出されて、粘着シートを手摺に貼付することができる。
【００２２】
さらに、この装置は手摺上に搭載し、人力により移動できるので、従来のように手摺を運転する必要がない。
また、手摺から側壁側にはみ出したこの装置のはみだし幅は、手摺から側壁側にはみ出したフィルムロールのはみだし幅と同等でよく、手摺の上方にフィルムロールの幅分の空間が空いていれば、側壁が迫っている手摺にフィルムを貼付することができる。
【００２３】
さらに、この装置の移動方向に従って幅方向にずれた位置に配設したヘラを備えられているので、フィルムは、最初は手摺の緩慢傾斜部に貼付され、引き続いて肩部、壁部へと幅方向に広がりながら貼付されるので、手摺の全面に渡ってシワなく貼付することができる。
【００２４】
なお、このフィルム貼付装置をエスカレータに関して説明したが、動く歩道、階段、通路等の手摺にも同様に適用可能である。
【００２５】
また、ヘラ押圧部材を６個用いた例について説明したが、手摺の大きさ、形状に従って適切な個数を用いても同様な効果が得られる。
【００２６】
また、案内車輪を欄干パネルの両側に備えた例について説明したが、フィルムロールなど貼付ユニットの総重量を考慮して、一方だけで貼付ユニットを案内してもよい。
【図面の簡単な説明】
【００２７】
【図１】この発明の実施の形態１に係わるフィルム貼付装置の概略正面図である。
【図２】図１のＡ−Ａ断面での概略断面図である。
【図３】図１のヘラ押圧部材の平面図、正面図、側面図である。
【図４】フィルム貼付に用いるシート裏紙支持部材の斜視図である。
【符号の説明】
【００２８】
１  欄干、２  台座、３  貼付ユニット、４  ベース、５  フレーム、６  欄干パネル、７  保持アーム、８、１１  案内車輪、９  手摺、１０  ローラ支持部材、１２  粘着シート、１３  粘着シート供給装置、１４  案内貼付装置、１５  フィルムロール、１６  フィルム支持軸、１７  テンションギアー、１８  ナット、１９ａ  ゴムローラ、１９ｂ  治具固定用ローラ、２０ａ〜２０ｆ  ヘラ押圧部材、２１  押圧部材取付板、２２  回転軸、２３  ばね、２４ａ〜２４ｆ  ヘラ、２５ａ〜２５ｆ  ヘラ支持部材、２６ａ〜２６ｆ  押圧辺、２７  調整ローラ、２８  シート裏紙支持部材、２９  挟持部材、３０  テンションゴム、３１  弾性支持部材、３２  シート裏紙、３３  掴持部材、３４  フィルム、１００  フィルム貼付装置。
【図１】
2005060004.tif 000003
【図２】
2005060004.tif 000004
【図３】
2005060004.tif 000005
【図４】
2005060004.tif 000006